(57)【要約】【課題】バスの位置と乗客数を一元管理するバス運行支援システムを提供する。【解決手段】バス１０，２０と、その運行を管理・支援するサーバ５１，５２とを含み、バス１０，２０とサーバ５１，５２との間において通信可能なバス運行支援システム。バス１０，２０に、乗車人数と降車人数とをそれぞれカウントするカウンター機能１３，２３を備えた乗車人数確認用及び降車人数確認用センサ１４，２４が設けられ、バス１０，２０とサーバ５１，５２とが通信を行なう際にバス１０，２０を識別するバス識別番号とバスの現在位置を特定するバス位置情報とともに、センサ１４，２４によりカウントされた乗車人数と降車人数とに関する情報をサーバ５１，５２に送信し、サーバ５１，５２が今回通信時の情報と前回通信時のデータ又は対応する統計データのうち少なくとも一方とを比較し、比較に基づいて得られた乗車率情報を各バスの遅延情報に付加して提供する。【選択図】　図１
2004102644.tif 000002
【特許請求の範囲】
【請求項１】
バスと、該バスの運行を管理・支援するサーバとを含み、前記バスと前記サーバとの間において通信可能なバス運行支援システムであって、バスに、乗車人数と降車人数とをそれぞれカウントするカウンター機能を備えた乗車人数確認用及び降車人数確認用センサが設けられ、
前記バスと前記サーバとが通信を行なう際に、前記バスを識別するバス識別番号とバスの現在位置を特定するバス位置情報とともに、前記センサによりカウントされた乗車人数と降車人数とに関する情報を前記サーバに送信し、該サーバが、今回通信時の前記情報と、前回通信時のデータ又は対応する統計データのうち少なくとも一方とを比較し、比較に基づいて得られた乗車率情報を各バスの遅延情報に付加して提供することを特徴とするバス運行支援システム。
【請求項２】
バスとサーバとが通信を行なった際に、自バスと同系統において自バスの前後を運行するバスの遅延情報と乗車率情報とが、前記サーバから送信されることを特徴とする請求項１に記載のバス運行支援システム。
【請求項３】
さらに、バスの遅延状況と乗車率情報とを、バスが次に停まる停留所に表示する手段を備えたことを特徴とする請求項１又は２に記載のバス運行支援システム。
【請求項４】
さらに、
バス利用者が所持する携帯端末であって、バス利用者が指定した停留所におけるバスの遅延情報と乗車率情報とを、前記サーバから取得できる機能を有する携帯端末を含む
請求項１から３までのいずれか１項に記載のバス運行支援システム。
【請求項５】
前記乗車人数確認用及び降車人数確認用センサが、バスの乗客が乗り降り共通に用いる乗降口に設けられるとともに、バスの乗客の移動方向を検知できるベクトルセンサ機能を有していることを特徴とする請求項１から３までのいずれか１項に記載のバス運行支援システム。
【発明の詳細な説明】
【０００１】
【発明の属する技術分野】
本発明は路線バスなどの運行を管理・支援するバス運行支援システムに関し、特に、各バスにおける乗客数をリアルタイムに把握することにより、バスの運行状況をより正確に判断できるバス運行支援システムに関する。
【０００２】
【従来の技術】
路線バスなどにおいては、特別な状態にならない限り、運転手が所持するバス運行予定表に基づいてバスが運行される。このバス運行予定表は、例えば、シートなどの形態でバス会社の管理者から運転手に手渡される。運転手は、このバス運行予定表に沿ってバスの系統（行き先）と時間とを知ることが出来る。
【０００３】
【発明が解決しようとする課題】
最近、ＩＴ等の通信技術の発達に伴い、インターネットなどの通信手段を利用したバス運行管理・支援が行われ、バス運転手と管理者との間の通信を利用して運行中のバスが管理される。さらに、バスの運行状況を利用者に知らせるサービスも行われつつある。例えば、都営バスなどでは、利用者に各バスの位置情報が提供されているが、利用者の利便性を考えるとさらに改善の余地がある。
【０００４】
例えば、特開平６−４７９８号公報、特開平１１−３３９１９０号公報に種々のサービスを提供するシステムが記載されている。特開平６−４７９８号公報に記載された方法は、バスの内部にセンサを設置して人数を検出するものである。この方法を用いると、混雑したバスの内部など全体の状況が把握しにくいため、バスの状況に応じて対応しにくい。特開平１１−３３９１９０号公報に示す方法では、乗車時の整理券発券情報と降車時の料金支払情報から人数を算出するため、料金が均一の前払いのバスや、始発停留所から乗る乗客であって、乗車時に乗車カードや定期券を乗車記録装置に通さない乗客はカウントされないという問題もあった。
本発明の目的は、各バスの位置と乗客数を一元管理するバス運行支援システムを提供することである。
【０００５】
【課題を解決するための手段】
本発明の一観点によれば、バスと、該バスの運行を管理・支援するサーバとを含み、前記バスと前記サーバとの間において通信可能なバス運行支援システムであって、バスに、乗車人数と降車人数とをそれぞれカウントするカウンター機能を備えた乗車人数確認用及び降車人数確認用センサが設けられ、前記バスと前記サーバとが通信を行なう際に、前記バスを識別するバス識別番号とバスの現在位置を特定するバス位置情報とともに、前記センサによりカウントされた乗車人数と降車人数とに関する情報を前記サーバに送信し、該サーバが、今回通信時の前記情報と、前回通信時のデータ又は対応する統計データのうち少なくとも一方とを比較し、比較に基づいて得られた乗車率情報を各バスの遅延情報に付加して提供することを特徴とするバス運行支援システムが提供される。
【０００６】
上記バス運行支援システムによれば、乗車人数と降車人数とをそれぞれカウントするカウンター機能を備えた乗車人数確認用及び降車人数確認用センサにより乗車率を測定するため、乗車率の推定を精度良く行うことができる。乗車率情報を遅延情報に付加して提供するため、将来に向けての遅延情報をより正確に見積もることができる。
【０００７】
バスとサーバとが通信を行った際に、自バスと同系統、すなわちルートが同じバスであって、自バスの前後を運行するバスの遅延情報と乗車率情報とが、前記サーバから送信されるのが好ましい。自バスと同系統であって、自バスと時間的に前後して走行するバスの遅延情報と乗車率情報とが、自バスの運行にとって最も参考になる情報であり、これに基づいて自バスの運行を調整することもできる。
【０００８】
例えば、自バスの前を走行する同系統のバスが遅れ気味であり、自バスよりも乗車率も高いという情報が得られ、かつ、自バスの後を走行する同系統のバスが順調に運行され、乗車率も低いという情報が得られれば、自バスを出来る限り早めに運行するとともに、前のバスにその後続である自バスの状況を知らせることにより、前のバスの運転手が停留所において待っている利用者に後続のバスの利用を促すアナウンスを行うこともできる。或いは、後続のバスが遅れ気味であり、乗車率も高いという情報が得られれば、自バスの運行をやや遅れ気味に調整することもできる。
【０００９】
さらに、バス利用者が所持する携帯端末を含み、バス利用者が指定した停留所におけるバスの遅延情報と乗車率情報とを、前記サーバから取得できる機能を有する携帯端末を含むのが好ましい。携帯端末を利用することにより、ユーザの利便性を一層向上させることができる。
【００１０】
また、前記乗車人数確認用及び降車人数確認用センサが、バスの乗客が乗り降り共通に用いる乗降口に設けられるとともに、バスの乗客の移動方向を検知できるベクトルセンサ機能を有しているのが好ましい。乗り降り共通の乗降口の場合でも、ベクトルセンサ機能により乗車人数と降車人数とを精度良く識別することができる。
【００１１】
【発明の実施の形態】
本発明の実施の形態について説明する前に、発明者の行った考察について説明する。発明者は、バスの乗車率とバスの遅延との間の関係に着目した。すなわち、バスの乗車率が高くなると乗降にかかる時間が長くなり、その結果として遅延が生じる傾向にあり、さらに、次のバスの乗車率や遅延情報などが提供されないと、さらに乗客が特定のバスに偏りがちになること、そのために、数台のバスが同時に到着するという現象があることに気が付いた。このような対策には、特開平６−４７９８号に記載の技術による方法よりもバスの乗車率を精度良く知ることが重要である。
【００１２】
すなわち、バスの乗車率を精度良く見積もり、見積もったバスの乗車率をバスの遅延状況に関する情報に付加して提供すれば、バスの円滑な運行に関してより効果的であると考えた。
【００１３】
そこで、各バスの乗車口と降車口とに通過センサを設置し、乗車人数と降車人数を計数する。バスの乗降口は狭いため、複数人が全く同時に通過することは少なく、これにより精度の高い乗車人数と降車人数との計数が実現可能である。各バスには、乗車・降車センサと計数手段の他に、管理センタのサーバもしくは、運行路のポイントに設けた受信装置との送受信手段と、送受信情報の記憶手段とを設ける。記憶手段には、予め各バスの識別情報を格納しておき、乗車人数と降車人数のそれぞれ累積した値を記憶手段に格納し、送信時に識別情報と乗車人数と降車人数値または、差分値を送信する。運行路のポイントに設けた受信装置への送信の場合は、この受信装置からさらにサーバへ情報を送信する。このとき同時にバスの位置を送信する。位置検出方法は通常の手段で良く、ＧＰＳを利用した各バスの位置情報であっても、通信を行なった運行路のポイント装置の位置情報であっても良い。管理センタのサーバは各バスから定期的に送信された情報を格納し、位置情報から各バスの現在位置を特定し、乗客数とバスの定員から乗車率を算出する。また、各バスの運行スケジュールから、その時間のバスの予測位置を設定しておき、現在位置と予測位置の距離から遅延情報を算出する。また、同じ路線での各バス間の距離と前回通信時の各バス位置により、各停留所での次のバスの到着予測時間を算出する。これらの情報は、提供先媒体での表示に最適な形にサーバが加工し、バスの停留所や利用者の端末装置に送信し、表示させる。また、各バスに対して自バスの遅延情報や前後のバスの位置と乗車率情報を送信し、運転手を支援する。
【００１４】
情報を収集する管理センタでは、リアルタイムの各バスの運行状況を確認することにより、問題の発生に迅速に対応することができる。また、各バスの定時の位置および乗車率を蓄積することにより、統計処理を行い、より適切な運行ダイヤを作成することが可能となる。尚、乗降口に設置するセンサは、ラインセンサであることが好ましいが、ラインセンサは乗降口全幅に設置しなくても、例えば平均的な乗客の肩幅程度の幅を有するラインセンサを、一般的な乗客の肩幅の最小値程度のギャップを設けて配置することにより代用することも可能であり、あるいは、１つのラインセンサを複数のポイントセンサで代用することもでき、これにより低コスト化できるという利点がある。
【００１５】
上記考察に基づいて、以下に、本発明の一実施の形態によるバス運行支援システムについて図面を参照して説明する。図１は本実施の形態によるバス運行支援システムのシステム構成例を示す図であり、図２及び図３はバスの乗車率を求め各バスに表示させる処理の流れを示すフローチャート図であり、図４は到着時間を求める処理の流れを示すフローチャート図であり、図５は、図１に示すＷＷＷ参照可能端末６０がサーバとインターネットを介して送受信する処理の流れを示すフローチャート図であり、図６は、サーバ内のデータテーブルにおけるデータ構成例を示す図であり、図７は車載表示機の画面表示例であり、図８は、図１に示すＷＷＷ参照可能端末６０におけるバス運行に関連する情報の表示例を示す図である。
【００１６】
図１において、符号１０と符号２０とは本発明の一実施の形態による後続バスと前走バスとに設けられたバス運行支援システムの一部であるバス内情報管理機能の構成例を示す。情報管理機能は、バス扉の開閉／通過ボタン１１及び２１と、車載表示機１２及び２２と、乗車人数確認用センサとカウンター１３、１４及び２３、２４と、記憶装置１５及び２５と、降車人数確認用センサ及び降車人数確認用カウンター１６、１７及び２６、２７と、無線機１８及び２８と、を有している。図１の符号３０、４０は、本実施の形態によるシステムのうちの、停留所Ａ、停留所Ｂの構成例を示すブロック図である。停留所Ａ及び停留所Ｂは、無線機３１及び４１と、表示機３２及び４２とを備えている。符号５０は、運行管理センタの構成例を示す機能ブロック図である。運行管理センタ５０は、ＷＷＷサーバ５１と、処理サーバ５２とを有しており、処理サーバ５２内には、最新データベース２１０と、処理待ちデータベース２２０と、履歴データベース２３０と、基本データベース２４０と、停留所データベース２５０とが設けられている。
【００１７】
まず、各バスにおける情報収集処理と運行管理センタへの情報送信処理について説明する。
後続バス１０より各情報を停留所Ａ３０に送信し、運行管理センタ５０においてバスからの各情報を受信する。また、後続バス１０は、前走バス２０と同一系統で行先も同じであると仮定する。後続バス１０の乗車人数確認用センサ１４によって乗車する人を感知し、乗車人数確認用カウンター１３によって乗車人数の累計を取り、乗車人数を記憶装置１５に格納する。また、降車人数確認用センサ１６によって降車する人を感知し、降車人数確認用カウンター１７によって降車人数の累計を取り、降車人数を記憶装置１５に格納する。
【００１８】
扉開閉／通過ボタン１１を押すと、車両番号および乗車人数と降車人数とが記憶装置１５から取得され、無線機１８において停留所Ａ３０に設置された無線機３１と通信を行い、取得した情報を運行管理センタ５０に設けられている処理サーバ５２に送信し処理サーバ５２内に蓄積する。
【００１９】
次に、処理サーバでの処理と各表示媒体への情報提供について説明する。処理サーバ５２内にて取得した情報の処理が行なわれ、前走バス２０より処理サーバ５２に情報が送信されると処理サーバ５２から後続バス１０の走行位置・乗車率・停留所３０への到着時刻などを停留所Ｂ４０の無線機４１に送信し、表示機４２に後続バスの情報を表示させる。さらに、無線機２８と通信し、車載表示機２２にこれらの情報を表示する。
【００２０】
また、ＷＷＷ参照可能端末６０（図１）、すなわち、パーソナルコンピュータ６１又は携帯端末６２などから、運行管理センタ５０にあるＷＷＷサーバ５１にアクセスし乗車したいバスを指定すると、ＷＷＷサーバ５１が処理サーバ５２を参照する。指定したバスに関する最新情報は、処理サーバ５２からＷＷＷサーバ５１へ送信され、ＷＷＷサーバ５１を介してアクセスしてきたＷＷＷ参照可能端末６０に対して最新情報を返信し、ＷＷＷ参照可能端末６０（図１）の表示装置に表示させる。
【００２１】
図２及び図３は、乗車率を求め各バスに表示させる処理に関する流れを示すフローチャート図であり、図６（Ａ）から図６（Ｅ）までは、処理サーバ内の各データテーブルの構成例である。適宜図１も参照して説明する。まず、バスのスタート時点で、バス１０、２０の記憶装置１５、２５内における、降車人数と乗車人数の値をリセット（０）にする。その後は、「乗車人数−降車人数」の値を累計する処理を行う。
【００２２】
前走バス２０が停留所Ａ３０に到着するとバスの運転手が扉開ボタン１１を押し、停留所３０を通過すると通過ボタン１１を押し、停留所Ａ３０を発車する前に扉閉ボタン１１を押す。その際、処理サーバ５２と通信を行い、停留所Ａ３０に接近し（ステップ１０１）、扉開閉ボタン１１／通過ボタン１１（ステップ１０２）を押すと、前走バス２０の運転手が押したボタン情報・車両番号・停留所番号・乗車人数・降車人数（カウンター）の情報が、記憶装置１５から取得され、処理サーバ５２に送信される（ステップ１０３）。
【００２３】
処理サーバ５２において、押されたボタン１１の識別を行い（ステップ１０４）、通過ボタン１１が押されていた場合、最新データベース２１０の該当する情報を履歴データベース２３０に格納し（ステップ１０５）、前走バス２０から取得した情報を最新データベース２１０に登録し（ステップ１０６）、最新データベース２１０の乗客数２１６に乗車人数２１４から降車人数２１５を減算した値を登録し（ステップ１０７）、最新データベース２１０の乗車人数２１４と降車人数２１５に０（ゼロ）を登録し（ステップ１０８）、基本データベース２４０より車両番号２４１を主キーとして定員２４２を取得し、乗客数２１６を定員２４２により除算し、これに１００を乗算した値を最新データベース２１０の乗車率２１７として登録する（ステップ１１４）。最新データベース２１０の値は、各停留所毎にリセットされる。次に押されたボタンが扉閉ボタン１１であれば、処理待ちデータベース２２０にステップ１０３で取得した情報を登録する（ステップ１０９）。
【００２４】
次に、扉閉ボタン１１が押された場合、最新データベース２１０の該当する情報を履歴データベース２３０に格納し（ステップ１１０）、ステップ１０３で取得した乗車人数から処理待ちデータベース２２０の乗車人数２２４を減算した値を乗車人数２２４に上書き登録する。同様にステップ１０３で取得した降車人数から処理待ちデータベース２２０の降車人数２２５を減算した値を降車人数２２５に上書き登録し（ステップ１１１）、最新データベース２１０の乗客数２１６に乗車人数２１４から降車人数２１５を除算した値を上書き登録し（ステップ１１２）、処理待ちデータベース２２０の該当する情報を最新データベース２１０に登録する（ステップ１１３）。
【００２５】
基本データベース２４０より車両番号２４１を主キーとして定員２４２を取得し、乗客数２１６を定員２４２で除算し、１００を乗算した値を最新データベース２１０の乗車率２１７に登録する（ステップ１１４）。基本データベース２４０から車両番号２４１を主キーとして前走車両番号２４３・後続車両番号２４４・系統番号２４５・行先番号２４６を取得し（ステップ１１５）、最新データベース２１０の車両番号２１３の中から後続車両番号２４４と同じ値の情報を検索し、時刻２１２・乗車率２１７・停留所番号２１８を取得する（ステップ１１６）。停留所データベース２５０から系統番号２５１・行先番号２５２・停留所番号２５３が、先ほど取得した系統番号２４５・行先番号２４６・停留所番号２１８と全て一致した場合に、次停留所番号２５５・所要時間２５６を取得し（ステップ１１７）、先ほど取得した時刻２１２に所要時間２５６を加算した時刻を、ステップ１１７で取得した次停留所にある無線機に送信し（ステップ１１８）、ステップ１１７で取得した情報を後続車両番号２４４のバスにある車載表示機（図７）に乗車率・停留所・到着時刻を表示する（ステップ１１９）。
【００２６】
また、最新データベース２１０の車両番号２１３の中から前走車両番号２４３と同じ値の情報を探し、時刻２１２・乗車率２１７・停留所番号２１８を取得し（ステップ１２０）、停留所データベース２５０から系統番号２５１・行先番号２５２・停留所番号２５３が、先ほど取得した系統番号２４５・行先番号２４６・停留所番号２１８と全て一致した場合、次停留所番号２５５を取得し（ステップ１２１）、ステップ１２１で取得した次停留所にある無線機に送信し、ステップ１２１で取得した情報を前走車両番号２４３のバスに設けられた車載表示機２２に乗車率・停留所を表示させる（ステップ１２２）。
【００２７】
図４は、バスの到着時間を求める処理の流れを示すフローチャート図である。定期的に履歴データベース２３０から同じ車両番号２３３・停留所番号２３８のデータを取得し（ステップ１２３）、日付２３１および時刻２３２が異なるデータ毎に、平均所要時間を算出し（ステップ１２４）、停留所データベース２５０の所要時間２５６に上書き登録する（ステップ１２５）。
【００２８】
図５は、ＷＷＷサーバとインターネットとの送受信処理の流れを示すフローチャート図である。ＷＷＷ参照可能端末６０よりＷＷＷサーバ５１にアクセスし（ステップ１２６）、乗車したいバスを指定し（ステップ１２７）、ＷＷＷサーバ５１は、指定したバスの情報を処理サーバ５２に送信して、処理サーバ５２から指定したバスの情報を取得する（ステップ１２８）。ＷＷＷサーバ５１は、アクセスしてきたＷＷＷ参照可能端末６０に処理サーバから取得したバスの情報を送信し、端末に取得情報を表示させる（ステップ１２９）。
【００２９】
図６に各データベースのデータ例を示す。また、図７にバスの車載表示機の表示の例を示す。この値を用いて以下本発明の乗車率及び遅延情報の算出処理を、図１も参照して説明する。前走バス１０より、扉開ボタン１１が押されると、前走バス１０の記憶装置１５にある情報、ボタン情報・車両番号（図６（Ａ）では、１２０５４７）・乗車人数（図６では、０４２）・降車人数（図６では、００８）が処理サーバ５２に送信され、処理サーバ５２の処理待ちデータベース２２０に登録される。次に、扉閉ボタン１１が押されると、前走バス１０の記憶装置１５にある情報、ボタン情報・車両番号（図６（Ａ））では、１２０５４７）・乗車人数（図６（Ａ））、０５８）・降車人数（図６（Ａ））では、０１３）が処理サーバ５２に送信され、処理サーバ５２の最新データベース２１０にある車両番号２１３が、１２０５４７のデータを履歴データベース２３０に登録し、バスから取得した情報を最新データベースに登録する。
【００３０】
最新データベース２１０の乗車人数２１４から処理待ちデータベース２２０の乗車人数２２４を減算し、乗車人数２１４に上書きする。図６の例では、０５８−０４２＝０１６となり、この演算結果の０１６を乗車人数２１４に上書きする。同様に降車人数も処理を行なうと、００８−０１３＝−００５となり、演算結果の００５を降車人数２１５に上書きする。これらの処理により、最新データベース２１０および履歴データベース２３０には、どの時間帯のどの停留所において何人の乗降客がいたのか統計を取ることが可能である。
【００３１】
乗客数２１６の算出は、最新データベース２１０の乗車人数２１４と降車人数２１５および処理待ちデータベース２２０の乗客数２２６を使用して求め、乗客数２１６に登録する。乗客数２２６＋（乗車人数２１４−降車人数２１５）＝乗客数２１６となる。上記の例では、０４２＋（０５８−０１３）＝０８２となる。さらに乗客率を求めるには、該当するバスの基本データベース２４０から定員２４２と最新データベースの乗客数２１６を使用して求め、乗客率２１７に格納する。乗客数２１６（７０名）÷定員２４２×１００＝乗客率２１７となる。図６の例では、０８２÷７０×１００であり、約１１７パーセントとなる。
【００３２】
さらに、図６（Ｃ）に示す履歴データベース２３０より、同じ車両番号２３３・停留所番号２３８の履歴データのみを取得し、次の停留所までの平均所要時間を求め、停留所データベース２５０の所要時間２５６に登録する。その値に最新データベース２１０の時刻２１２を加算した時刻を、到着予定時刻として、バスや停留所に表示する。図６（Ｄ）の例では、前走車両番号が１２０８４１のバスおよびそのバスの最寄りの停留所に、後続バスの車両番号が１２０５４７のバスが１つ前の停留所にいること、到着予定時刻が１０：２５、乗車率が６４％であることが、車載表示機に表示される。また、後続車両番号が１３５３６のバスに前走バスがいる停留所、乗車率を車載表示機に表示させ、前走バスに乗り切れなかった乗客がいるかどうかの判断や前走バスの遅延状況が確認可能である。
【００３３】
次に、図７及び図８を参照して、上記説明に基づく方法により得られた情報の車載表示機における画面表示例と、利用者端末における表示画面例とについて説明する。図７に示すように、車載表示機２２（図１）には、例えば、前走バスと後続バスとの現在位置（停留所を基準とした）と、到着（予定）時刻、乗車率がそれぞれ表示されている。図７に示す例では、前走バスは２つ先の停留所のさらに先に位置し、そのバスの乗車率は３４％であることが表示されている。一方、後続バスに関しては、１つ前の停留所を過ぎており、直近の次の停留所への予想到着時刻は１２時１５分であり、乗車率は６４％であることが示されており、運転手はこのデータを参考にして、自己のバスの運転予定を変更したり、自己のバスの乗客又は次のバス停においてバスを待っている乗客に役立つ情報を提供したりすることができる。
【００３４】
特に、予定到着時刻が遅くなる場合や、乗車率が高い場合（満員の場合）自己のバスと後続バスとの間の乗車率の差が大きい場合には、その旨を利用者に伝えることにより、利用者の行動の参考とすることも可能である。
【００３５】
図８は、利用者が自己の利用したい系統のバスに関する情報をサーバに対して求めた場合における、利用者の携帯端末の表示画面例を示す図である。図８に示すように、携帯電話３００は、ＬＣＤ表示画面３０３と、入力ボタン３０５と、送受信用アンテナ３０７と、ＧＰＳ受信機能３１１とを有している。ＧＰＳ受信機能３１１の有無は、任意である。
【００３６】
ＬＣＤ表示画面３０３には、例えば、バスの種別と、系統と、到着予定時刻と、乗車率と、が表示できるようになっている。バスの種別は、例えばノンステップバスやラッピングバスなどである。バスの系統は、バスの経路と行き先とを示し、この例では、１．××経由○○行き、２．△△経由□□行きなどが表示される。到着予定時刻は、例えば上記１のバスの利用者の指定するバス停への到着予定時刻が、１：１２時１５分、２：１２時２７分のように系統別に表示される。乗車率は、上記１のバスの現在乗車率が２０％、２のバスの現在乗車率が７８％である旨が表示されている。バス利用者は、この情報に基づいて、自己の都合に合わせたバスを検索することができ、予定を立てる際に役立てることもできる。
【００３７】
以上説明したように、本実施の形態によるバス運行支援システムによれば、後続バス１０の走行位置・乗車率・到着予定時刻を前走バス２０の車載表示機２２に表示させることが可能で、停留所にある無線機を経由して送信するため、停留所に待っている利用者に後続バスの乗車状況を案内することも可能である。また、ＷＷＷサーバを設置することにより、インターネットに接続可能な端末を所有していれば、停留所に行かなくてもバスの込み具合などを把握することが可能である。さらに、各停留所・各時間帯・任意の区間での乗車人数および乗車率を確認することができるので、より現実に近い乗客数の統計資料を作成することが可能で、ダイヤ改訂時および臨時便運行決定時の参考にすることも可能である。
【００３８】
従って、バス運行管理者・利用者・インターネットからＷＷＷサーバへアクセスした人は、指定したバスの走行位置や乗車率を確認することができ、バスの運転手は、後続バスの走行位置や乗車率を知ることができる。従って、停留所で待っているバス利用者に次のバスの走行状況をアナウンスできる。また、各バスの乗車状況がリアルタイムで確認することができ、バス運行管理者が臨時便の運行決定を促す参考となり、乗客数情報をデータベースに蓄積することで、統計を取ることができ、ダイヤ改訂時の参考資料とすることができる。
【００３９】
以上、実施の形態に沿って本発明を説明したが、本発明はこれらに制限されるものではない。その他、種々の変更、改良、組み合わせが可能なことは当業者に自明であろう。
【００４０】
【発明の効果】
本発明のバス運行支援システムによれば、ＷＷＷサーバへアクセスすることで、指定したバスの走行位置や乗車率を確認することができる。運転者は、停留所で待っているバス利用者に次のバスの走行状況をアナウンスすることができる。また、各バスの乗車状況がリアルタイムに確認することができ、バス運行管理者が何らかの対策を考慮する際の参考となる。
【図面の簡単な説明】
【図１】本発明の一実施の形態によるバス運行支援システムのシステムの構成例を示す図である。
【図２】バスの乗車率を求め、バス又はバス停留所などに情報を表示させる処理の流れを示すフローチャート図である。
【図３】バスの乗車率を求め、バス又はバス停留所などに情報を表示させる処理の流れを示すフローチャート図であり、図２に続く図である。
【図４】バスの到着時間を求める処理の流れを示すフローチャート図である。
【図５】ＷＷＷサーバとインターネットとの送受信処理の流れを示すフローチャート図である。
【図６】図６（Ａ）から図６（Ｅ）までは、処理サーバ内の各データテーブルの構成例を示す図である。
【図７】車載表示機の画面表示例を示す図である。
【図８】情報を提供された利用者端末と、その画面表示例を示す図である。
【符号の説明】
１０、２０　　バス
３０、４０　　停留所
５０　　運行管理センタ
６０　　ＷＷＷ参照可能端末
１１、２１　　扉開／扉閉／通過ボタン
１２、２２　　車載表示機
１３、２３　　乗車人数確認用カウンター
１４、２４　　乗車人数確認用センサ
１５、２５　　記憶装置
１６、２６　　降車人数確認用センサ
１７、２７　　降車人数確認用カウンター
１８、２８、３１、４１　　無線機
３２、４２　　表示機
５１　　ＷＷＷサーバ
５２　　処理サーバ
６１　　パソコン
６２　　携帯端末
２１０、２２０、２３０、２４０、２５０　　処理サーバ内のデータベース。
【図１】
2004102644.tif 000003
【図２】
2004102644.tif 000004
【図３】
2004102644.tif 000005
【図４】
2004102644.tif 000006
【図５】
2004102644.tif 000007
【図６】
2004102644.tif 000008
【図７】
2004102644.tif 000009
【図８】
2004102644.tif 000010